(57)【特許請求の範囲】
【請求項１】
底板および側板を有し、当該底板および側板により湿し水を蓄えるオフセット印刷機の水舟であって、
前記底板および側板に囲まれた水舟内部に、給水側から排水側に渡る流路を狭める堰を設け、
前記堰は、前記給水側から排水側に渡る側板にほぼ直交して接続されるとともに、前記底板にほぼ直交して接続される２枚の流水抑制板と、当該２枚の流水抑制板にほぼ直交して接続されるとともに、前記底板にほぼ直交して接続され、給水側から排水側に渡る流路にほぼ平行な１枚の流路案内板により構成されることを特徴とするオフセット印刷機の水舟。
【請求項２】
前記底板および側板、流水抑制板と流路案内板は、同一の金属製であり、前記流水抑制板と流路案内板は、溶接により前記底板および側板に接合されたものであることを特徴とする請求項１に記載のオフセット印刷機の水舟。
【請求項３】
前記流水抑制板と流路案内板は、接着剤により底板および側板に接合され、接合により生じた隙間には、シリコンが塗布されたことを特徴とする請求項１に記載のオフセット印刷機の水舟。
【発明の詳細な説明】
【技術分野】
【０００１】
本発明は、オフセット印刷機の湿し水装置に用いる水舟に関する。
【背景技術】
【０００２】
オフセット印刷機は、オフセット印刷機の版面に湿し水を供給する湿し装置を備えており、この湿し装置には、湿し水を溜める水舟が備えられている（特許文献１参照）。
【０００３】
図３は、従来の水舟を上方から見た図である。図３において、１１は水元ローラ、１２は金属ローラ、１３〜１６は側板、１７は底板、１８は給水口、１９は排水口である。水舟は、ステンレス等の金属製の側板１３〜１６および底板１７により構成されており、底板１７には、給水口１８および排水口１９が形成されている。水舟には、給水口１８から供給された湿し水が収容され、湿し水に浸された水元ローラ１１が回転することにより、金属ローラ１２を介して、版面に湿し水が供給されていく。水舟に収容された湿し水は定期的に排水口１9から排水される。
【先行技術文献】
【特許文献】
【０００４】
【特許文献１】特開平１１−３００９２６号公報
【発明の概要】
【発明が解決しようとする課題】
【０００５】
オフセット印刷において、安定した印刷を行うためには、湿し水の温度管理が重要であるが、上記従来の水舟では、湿し水の給水側と排水側で大きな温度差が生じている。給水側と排水側で大きな温度差が生じると、温度が高い排水側でのインキの過乳化が発生し易くなる。色数が少ない品目や、色調管理に厳密さを要求されない品目の場合、インキの過乳化はあまり問題にならないが、多色品目や、色調管理に厳密さを要求される品目の場合、インキの過乳化は大きな問題となる。
【０００６】
そこで、本発明は、給水側と排水側における湿し水の温度差を減少させ、インキの過乳化を防ぐことが可能なオフセット印刷機の水舟を提供することを課題とする。
【課題を解決するための手段】
【０００７】
上記課題を解決するため、請求項１のオフセット印刷機の水舟は、底板および側板を有し、当該底板および側板により湿し水を蓄えるオフセット印刷機の水舟であって、前記底板および側板に囲まれた水舟内部に、給水側から排水側に渡る流路を狭める堰を設け、前記堰は、前記給水側から排水側に渡る側板にほぼ直交して接続されるとともに、前記底板にほぼ直交して接続される２枚の流水抑制板と、当該２枚の流水抑制板にほぼ直交して接続されるとともに、前記底板にほぼ直交して接続され、給水側から排水側に渡る流路にほぼ平行な１枚の流路案内板により構成されることを特徴とする。
【０００８】
請求項１のオフセット印刷機の水舟によれば、水舟の内部に、給水側から排水側に渡る流路を狭める堰を設けたので、給水側から排水側における湿し水の温度差を減少させ、インキの過乳化を防ぐことが可能となる。また、堰を、流路に平行な１枚の流路案内板と流路に直交する２枚の流水抑制板により構成するようにしたので、比較的単純な構造で、湿し水の流路を狭める堰を構成することが可能となる。
【００１１】
また、請求項２のオフセット印刷機の水舟は、請求項１のオフセット印刷機の水舟において、前記底板および側板、流水抑制板と流路案内板は、同一の金属製であり、前記流水抑制板と流路案内板は、溶接により前記底板および側板に接合されたものであることを特徴とする。
【００１２】
請求項２のオフセット印刷機の水舟によれば、底板および側板、流水抑制板と流路案内板を同一の金属製で、溶接により接合するようにしたので、流路を狭める堰を有する水舟を一体的な構造として製造することが可能となる。
【００１３】
また、請求項３のオフセット印刷機の水舟は、請求項１のオフセット印刷機の水舟において、前記流水抑制板と流路案内板は、接着剤により底板および側板に接合され、接合により生じた隙間には、シリコンが塗布されたことを特徴とする。
【００１４】
請求項３のオフセット印刷機の水舟によれば、流水抑制板と流路案内板を、前記底板および側板に接着剤により接合し、生じた隙間にシリコンを塗布するようにしたので、既に製造されている堰のない水舟に、簡易に堰を設けることが可能となる。
【発明の効果】
【００１５】
本発明によれば、給水側と排水側における湿し水の温度差を減少させ、インキの過乳化を防ぐことが可能となる。
【図面の簡単な説明】
【００１６】
【図１】本発明の一実施形態に係るオフセット印刷機の水舟の上面図である。
【図２】湿し水温度の測定結果を示す図である。
【図３】従来のオフセット印刷機の水舟の上面図である。
【発明を実施するための形態】
【００１７】
以下、本発明の好適な実施形態について、図面を参照して詳細に説明する。
図１は、本発明の一実施形態に係るオフセット印刷機の水舟を示す図である。図１は、上面から見た状態を示している。図１において、１、２は流水抑制板、３は流路案内板、１１は水元ローラ、１２は金属ローラ、１３〜１６は側板、１７は底板、１８は給水口、１９は排水口である。
【００１８】
図１において、図３と同一符号を有するものは、従来の水舟と同様の役割を果たす。本実施形態の水舟の特徴は、従来の水舟に、流水抑制板１、２と、流路案内板３を設けたことである。流水抑制板１、２は、図面下方の流路方向に沿う側板１５および底板１７にほぼ直交する状態で形成される。また、流路案内板３は、流水抑制板１、２および底板１７にほぼ直交する状態で形成される。ここで「ほぼ直交」とは、基本的には、溶接や接着剤による接着等、現実の作業において、生じる誤差を許容することを意味する。流水抑制板１、２および流路案内板３の底板１７からの高さは同一にすることが望ましい。本実施形態では、流水抑制板１、２および流路案内板３の高さを側板１３〜１６と同一の高さとしている。このため、湿し水は、流水抑制板１、２、流路案内板３に囲まれた空洞部分に流れ出すことはない。
【００１９】
流水抑制板１、２および流路案内板３は、どのような金属であっても良いが、本実施形態では、側板１３〜１６、底板１７と同じステンレスを採用している。流水抑制板１、２は、側板１５、底板１７に溶接により接合される。また、流路案内板３は、流水抑制板１、２、底板１７に溶接により接合される。溶接により接合することにより、堰を構成する流水抑制板１、２、流路案内板３が側板１５、底板１７と隙間なく接合される。この結果、給水口１８から供給された湿し水は、図中右向きの矢印で示した部分のみを通って、排水口１9に向かうことになる。湿し水が通る部分が狭いため、湿し水が滞留することがなくなり、原動側と操作側の温度差が小さくなる。
【００２０】
図２は、湿し水温度の測定結果を示す図である。図２（ａ）は、従来の水舟の測定箇所を湿しており、図２（ｂ）は、本実施形態の水舟の測定箇所を湿しておいる。測定箇所としては、従来の水舟においては、図２（ａ）に示すように、給水側、中央、排水側の奥側（図面上方）と、給水側、中央、排水側の手前側（図面下方）の計６箇所（Ａ〜Ｆ）を採用している。また、本実施形態の水舟においては、図２（ｂ）に示すように、給水側、中央、排水側の奥側（図面上方、水元ローラ付近）と、給水側、操作側の排水側（図面下方）の計５箇所（Ｇ〜Ｋ）を採用している。
【００２１】
具体的な測定結果を図２（ｃ）に示す。従来の水舟の場合、図２（ｃ）に示すように、最高温度２３．４℃の測定箇所Ｆと最低温度１６．７℃の測定箇所Ａとの温度差は６．７℃である。これに対して、本実施形態の水舟の場合、図２（ｃ）に示すように、最高温度１４．２℃の測定箇所Ｋと最低温度１２．０℃の測定箇所Ｈとの温度差は２．２℃である。
【００２２】
測定結果から明らかなように、堰を設けた本実施形態の水舟を用いることにより、水舟内の温度差が６．７℃から２．２℃へと大幅に縮小した。これにより、版面におけるインキの過乳化を防ぐことができた。
【００２３】
以上、本発明の好適な実施形態について説明したが、本発明は上記実施形態に限定されず、種々の変形が可能である。例えば、上記実施形態では、底板、側板、流水抑制板、流路方向金属板は、全てステンレス製としたが、他の金属であっても良いし、各板が異なる金属であっても良い。
【００２４】
また、上記実施形態では、流水抑制板、流路方向金属板を溶接により底板、側板に接合するようにしたが、金属に対応した接着剤を用いて接着し、接着による隙間をシリコンで埋めるようにしても良い。
【符号の説明】
【００２５】
１、２・・・流水抑制板
３・・・流路案内板
１１・・・水元ローラ
１２・・・金属ローラ
１３〜１６・・・側板
１７・・・底板
１８・・・給水口
１９・・・排水口
【図１】
0005671959.tif 000002
【図２】
0005671959.tif 000003
【図３】
0005671959.tif 000004